(57)【要約】  高温環境下で長期間の使用に対しても、蒸発損失が小さく、蒸発量が抑制されつつも、良好な流動性を維持し、残油の固着が生じ難い、アルキルナフタレン（Ａ１）及びエステル系化合物（Ａ２）を含む基油（Ａ）を含有する潤滑油組成物であって、成分（Ａ１）と成分（Ａ２）の含有量比〔（Ａ１）／（Ａ２）〕が、質量比で、１５／８５〜８５／１５である潤滑油組成物、及び当該潤滑油組成物を用いたテンター装置を提供する。【特許請求の範囲】
【請求項１】
アルキルナフタレン（Ａ１）及びエステル系化合物（Ａ２）を含む基油（Ａ）を含有する潤滑油組成物であって、
成分（Ａ１）と成分（Ａ２）の含有量比〔（Ａ１）／（Ａ２）〕が、質量比で、１５／８５〜８５／１５である、潤滑油組成物。
【請求項２】
アルキルナフタレン（Ａ１）が、炭素数１０以上のアルキル基を少なくとも一つ有する、請求項１に記載の潤滑油組成物。
【請求項３】
アルキルナフタレン（Ａ１）が、炭素数１０以上のアルキル基を二つ以上有するアルキルナフタレン（Ａ１１）を含む、請求項１又は２に記載の潤滑油組成物。
【請求項４】
アルキルナフタレン（Ａ１）の数平均分子量が、２００〜２０００である、請求項１〜３のいずれか一項に記載の潤滑油組成物。
【請求項５】
エステル系化合物（Ａ２）が、ポリオールエステル（Ａ２１）を含む、請求項１〜４のいずれか一項に記載の潤滑油組成物。
【請求項６】
ポリオールエステル（Ａ２１）が、ジペンタエリスリトールと、炭素数５〜１２の飽和脂肪族モノカルボン酸とのエステルである、請求項５に記載の潤滑油組成物。
【請求項７】
エステル系化合物（Ａ２）の数平均分子量が、７００〜１５００である、請求項１〜６のいずれか一項に記載の潤滑油組成物。
【請求項８】
成分（Ａ）中の成分（Ａ１）及び成分（Ａ２）の合計含有量が、成分（Ａ）の全量基準で、６０〜１００質量％である、請求項１〜７のいずれか一項に記載の潤滑油組成物。
【請求項９】
さらに酸化防止剤（Ｂ）を含有する、請求項１〜８のいずれか一項に記載の潤滑油組成物。
【請求項１０】
酸化防止剤（Ｂ）が、アルキル化ジフェニルアミンを含む、請求項９に記載の潤滑油組成物。
【請求項１１】
テンター装置が備えるチェーンの潤滑に用いられる、請求項１〜１０のいずれか一項に記載の潤滑油組成物。
【請求項１２】
請求項１〜１１のいずれか一項に記載の潤滑油組成物をチェーンの潤滑に用いた、テンター装置。
【発明の詳細な説明】
【技術分野】
【０００１】
本発明は、潤滑油組成物、及び当該潤滑油組成物を用いたテンター装置に関する。
【背景技術】
【０００２】
光学用フィルムや食品包装用フィルム等の製造に用いられるテンターマシンは、その内部に、チェーン、ギヤ及び軸受け等の摺動部が多数存在する。
光学用フィルムや食品包装用フィルムの製造時には、これらの摺動部は、２００℃程まで高温に達する。そのため、摺動部に供給される潤滑油も、高温となり、蒸発損失が大きくなるため、潤滑性を維持するためには蒸発量を抑制する必要がある。
一方で、潤滑油の供給量を増やして、潤滑性を維持することも考えられるが、潤滑油が飛散し、製造しているフィルムに付着することが懸念される。特に、食品包装用フィルムの製造においては、潤滑油の飛散による付着は、安全面での問題が生じるため、供給する潤滑油の量は制限する必要がある。【０００３】
また、蒸発損失を抑制するために、高粘度の潤滑油を用いることも考えられる。
しかしながら、高粘度の潤滑油は、流動性に問題があり、特に、高温下で長時間使用された場合に、流動性が低下し、一部が固化して固化スラッジとなり、潤滑油の供給を阻止し、摺動部の貧潤滑を招く恐れがある。【０００４】
そのため、テンターマシンで使用される潤滑油には、高温環境下で長時間使用しても、蒸発損失が小さく、蒸発量が抑制されつつも、良好な流動性を維持し、固化スラッジの析出がし難いという特性が求められている。このような要求に対応する潤滑油の関する様々な開発が行われている。
例えば、特許文献１には、テンターマシン等に用いられる高温用潤滑油組成物として、ポリオールエステル系合成油を含む基油成分と、所定の数平均分子量のアリールアルキル基を有するジフェニルアミン誘導体とを含有する潤滑油組成物が開示されている。
【先行技術文献】
【特許文献】
【０００５】
【特許文献１】特開２００５−３１４６５０号公報
【発明の概要】
【発明が解決しようとする課題】
【０００６】
特許文献１によれば、記載の潤滑油組成物は、高温開放系の実機環境下でも、固化及びスラッジ化し難く、且つ蒸発損失が低いとされているが、これらの特性の更なる向上が求められている。
また、特許文献１に記載の潤滑油組成物は、基油として、ポリオールエステルを含有しているが、ポリオールエステルは、蒸発損失が大きく、潤滑性の維持に問題がある。
特許文献１に記載の潤滑油組成物では、ポリオールエステルによる蒸発損失を補うために、２質量％以上のジフェニルアミン誘導体を配合している。しかしながら、比較的多量のジフェニルアミン誘導体は、高温下での長時間の使用に伴って固体化する場合があり、流動性の低下の要因となり、摺動部の貧潤滑を招く恐れがある。【０００７】
本発明は、高温環境下で長期間の使用に対しても、蒸発損失が小さく、蒸発量が抑制されつつも、良好な流動性を維持し、残油の固着が生じ難い潤滑油組成物、及び当該潤滑油組成物を用いたテンター装置を提供することを目的とする。
【課題を解決するための手段】
【０００８】
本発明者らは、アルキルナフタレンと、エステル系化合物とを所定の含有量比で組み合わせた基油を含有する潤滑油組成物が、上記課題を解決し得ることを見出し、本発明を完成させた。
すなわち、本発明は、下記１〜１２を提供する。
１．アルキルナフタレン（Ａ１）及びエステル系化合物（Ａ２）を含む基油（Ａ）を含有する潤滑油組成物であって、
成分（Ａ１）と成分（Ａ２）の含有量比〔（Ａ１）／（Ａ２）〕が、質量比で、１５／８５〜８５／１５である、潤滑油組成物。
２．アルキルナフタレン（Ａ１）が、炭素数１０以上のアルキル基を少なくとも一つ有する、上記１に記載の潤滑油組成物。
３．アルキルナフタレン（Ａ１）が、炭素数１０以上のアルキル基を二つ以上有するアルキルナフタレン（Ａ１１）を含む、上記１又は２に記載の潤滑油組成物。
４．アルキルナフタレン（Ａ１）の数平均分子量が、２００〜２０００である、上記１〜３のいずれか一に記載の潤滑油組成物。
５．エステル系化合物（Ａ２）が、ポリオールエステル（Ａ２１）を含む、上記１〜４のいずれか一に記載の潤滑油組成物。
６．ポリオールエステル（Ａ２１）が、ジペンタエリスリトールと、炭素数５〜１２の飽和脂肪族モノカルボン酸とのエステルである、上記５に記載の潤滑油組成物。
７．エステル系化合物（Ａ２）の数平均分子量が、７００〜１５００である、上記１〜６のいずれか一に記載の潤滑油組成物。
８．成分（Ａ）中の成分（Ａ１）及び成分（Ａ２）の合計含有量が、成分（Ａ）の全量基準で、６０〜１００質量％である、上記１〜７のいずれか一に記載の潤滑油組成物。
９．さらに酸化防止剤（Ｂ）を含有する、上記１〜８のいずれか一に記載の潤滑油組成物。
１０．酸化防止剤（Ｂ）が、アルキル化ジフェニルアミンを含む、上記９に記載の潤滑油組成物。
１１．テンター装置が備えるチェーンの潤滑に用いられる、上記１〜１０のいずれか一に記載の潤滑油組成物。
１２．上記１〜１１のいずれか一に記載の潤滑油組成物をチェーンの潤滑に用いた、テンター装置。
【発明の効果】
【０００９】
本発明の潤滑油組成物は、高温環境下で長期間の使用に対しても、蒸発損失が小さく、蒸発量が抑制されつつも、良好な流動性を維持し、残油の固着が生じ難いという特性を有する。
そのため、当該潤滑油組成物を用いたテンター装置は、高温環境下で長期間の使用に対しても、優れた潤滑性が維持され、貧潤滑の発生が効果的に抑制されたものとなり得る。
【発明を実施するための形態】
【００１０】
〔潤滑油組成物〕
本発明の潤滑油組成物は、アルキルナフタレン（Ａ１）及びエステル系化合物（Ａ２）を含む基油（Ａ）を含有するが、さらに潤滑用添加剤を含有してもよい。
なお、高温環境下での長時間の使用に対しても、蒸発損失を低減すると共に、流動性を良好とし、さらにスラッジの析出を抑制する観点から、本発明の一態様の潤滑油組成物は、さらに酸化防止剤（Ｂ）を含有することが好ましい。
また、薄膜化しても良好な潤滑性を発現させる観点から、本発明の一態様の潤滑油組成物は、さらに極圧剤（Ｃ）を含有することが好ましい。
【００１１】
本発明の一態様の潤滑油組成物において、成分（Ａ）、成分（Ｂ）、及び成分（Ｃ）の合計含有量は、当該潤滑油組成物の全量（１００質量％）基準で、好ましくは７０〜１００質量％、より好ましくは８０〜１００質量％、更に好ましくは９０〜１００質量％、より更に好ましくは９５〜１００質量％である。
以下、本発明の潤滑油組成物に含まれる各成分について説明する。
【００１２】
＜基油（Ａ）＞
本発明の潤滑油組成物は、アルキルナフタレン（Ａ１）及びエステル系化合物（Ａ２）を含む基油（Ａ）を含有する。
アルキルナフタレン（Ａ１）は、得られる潤滑油組成物の蒸発損失の低減化に寄与する。つまり、アルキルナフタレン（Ａ１）を含有することで、高温環境下での長時間の使用に対しても、蒸発量を抑制した潤滑油組成物とすることができる。
ただし、アルキルナフタレン（Ａ１）は、高温環境下での長時間の使用にするにつれて、流動性が低下して、固化してしまう場合があり、それが、摺動部の貧潤滑を引き起こす要因ともなる。
このアルキルナフタレン（Ａ１）の流動性の低下を抑えて、高温環境下での長時間の使用しても、優れた流動性を維持し得る潤滑油組成物とするために、本発明では、エステル系化合物（Ａ２）を併用している。
つまり、アルキルナフタレン（Ａ１）とエステル系化合物（Ａ２）とを併用することで、互いの利点を生かした潤滑油組成物に調製している。
【００１３】
さらに、本発明の潤滑油組成物では、成分（Ａ１）と成分（Ａ２）の含有量比〔（Ａ１）／（Ａ２）〕が、質量比で、１５／８５〜８５／１５となるように調製している。
当該含有量比〔（Ａ１）／（Ａ２）〕が１５／８５未満である潤滑油組成物は、高温環境下で、蒸発損失が大きく、蒸発量が増加して、潤滑性の低下が問題となる。
また、当該含有量比〔（Ａ１）／（Ａ２）〕が８５／１５超である潤滑油組成物は、高温環境下での長期間の使用により流動性が低下し、残油の固着が生じ易くなる。
【００１４】
上記観点から、本発明の一態様の潤滑油組成物において、成分（Ａ１）と成分（Ａ２）の含有量比〔（Ａ１）／（Ａ２）〕は、質量比で、好ましくは２０／８０〜８０／２０、より好ましくは２５／７５〜７５／２５、更に好ましくは３０／７０〜７０／３０である。
【００１５】
本発明の一態様の潤滑油組成物において、成分（Ａ）は、成分（Ａ１）及び成分（Ａ２）以外の他の基油を含有してもよい。
ただし、成分（Ａ）中の成分（Ａ１）及び成分（Ａ２）の合計含有量としては、潤滑油組成物に含まれる基油（Ａ）の全量（１００質量％）基準で、好ましくは６０〜１００質量％、より好ましくは７０〜１００質量％、更に好ましくは８０〜１００質量％、より更に好ましくは９０〜１００質量％、特に好ましくは９５〜１００質量％である。
【００１６】
本発明の一態様の潤滑油組成物において、基油（Ａ）の含有量は、当該潤滑油組成物の全量（１００質量％）基準で、好ましくは６０〜１００質量％、より好ましくは７０〜９９．９９質量％、更に好ましくは８０〜９９．９０質量％、より更に好ましくは８５〜９９．５０質量％である。
【００１７】
［アルキルナフタレン（Ａ１）］
アルキルナフタレン（Ａ１）としては、ナフタレン環の水素原子の少なくとも一つがアルキル基に置換された化合物であればよい。
なお、アルキルナフタレン（Ａ１）が有するアルキル基の数としては、１つであってもよく、２つ以上であってもよいが、２〜６個であることが好ましい。
アルキルナフタレン（Ａ１）は、単独で用いてもよく、２種以上を併用してもよい。
【００１８】
アルキルナフタレン（Ａ１）が有する１つあたりのアルキル基の炭素数は、好ましくは１〜３６、より好ましくは４〜３０、更に好ましくは８〜２６、より更に好ましくは１０〜２４である。
なお、当該アルキル基は、直鎖アルキル基であってもよく、分岐鎖アルキル基であってもよい。
また、アルキルナフタレン（Ａ１）が複数のアルキル基を有する場合、複数のアルキル基は、同一であってもよく、互いに異なるものであってもよい。例えば、複数のアルキル基の炭素数は、互いに異なるものであってもよい。
【００１９】
本発明の一態様の潤滑油組成物において、蒸発損失を低減させた潤滑油組成物とする観点から、アルキルナフタレン（Ａ１）は、炭素数１０以上（好ましくは１２以上）のアルキル基を少なくとも一つ有することが好ましい。
上記観点から、アルキルナフタレン（Ａ１）が、炭素数１０以上（好ましくは１２以上）のアルキル基を二つ以上有するアルキルナフタレン（Ａ１１）を含むことがより好ましい。
【００２０】
本発明の一態様において、成分（Ａ１）中の成分（Ａ１１）の含有量としては、成分（Ａ１）の全量（１００質量％）基準で、好ましくは６０〜１００質量％、より好ましくは７０〜１００質量％、更に好ましくは８０〜１００質量％、より更に好ましくは９０〜１００質量％である。
【００２１】
アルキルナフタレン（Ａ１）の数平均分子量としては、上記観点から、好ましくは２００〜２０００、より好ましくは２２０〜１５００、更に好ましくは２５０〜１２００、より更に好ましくは２８０〜１０００である。
なお、本明細書において、数平均分子量（Ｍｎ）は、ゲルパーミエーションクロマトグラフィー（ＧＰＣ）法で測定される標準ポリスチレン換算の値である。
【００２２】
アルキルナフタレン（Ａ１）の４０℃における動粘度としては、好ましくは１５０〜２００ｍｍ２／ｓ、より好ましくは１６０〜１９０ｍｍ２／ｓ、更に好ましくは１７０〜１８５ｍｍ２／ｓである。
また、アルキルナフタレン（Ａ１）の粘度指数としては、好ましくは９０以上、より好ましくは１００以上、更に好ましくは１１０以上である。
なお、本明細書において、動粘度及び粘度指数は、ＪＩＳ  Ｋ２２８３：２０００に準拠して測定及び算出した値を意味する。
【００２３】
［エステル系化合物（Ａ２）］
エステル系化合物（Ａ２）としては、例えば、ポリオールエステル、二塩基酸エステル（例えば、ジトリデシルグルタレート等）、芳香族エステル（例えば、トリメリット酸２−エチルヘキシル、ピロメリット酸２−エチルヘキシル）等が挙げられる。
これらのエステル系化合物（Ａ２）は、単独で用いてもよく、２種以上を併用してもよい。
【００２４】
本発明の一態様の潤滑油組成物において、高温環境下で長時間使用しても、優れた流動性を維持し得る潤滑油組成物とする観点から、エステル系化合物（Ａ２）が、ポリオールエステル（Ａ２１）を含むことが好ましい。
【００２５】
本発明の一態様において、成分（Ａ２）中の成分（Ａ２１）の含有量としては、成分（Ａ２）の全量（１００質量％）基準で、好ましくは６０〜１００質量％、より好ましくは７０〜１００質量％、更に好ましくは８０〜１００質量％、より更に好ましくは９０〜１００質量％である。
【００２６】
ポリオールエステル（Ａ２１）としては、例えば、分子内に四級炭素を一つ以上有し、且つ、当該四級炭素の少なくとも一つにメチロール基が１〜４個結合してなるヒンダードポリオールと、脂肪族モノカルボン酸とのエステルであるヒンダードエステルが挙げられる。
ポリオールエステル（Ａ２１）は、単独で用いてもよく、２種以上を併用してもよい。
【００２７】
なお、ポリオールエステル（Ａ２１）は、通常、ポリオールの全ての水酸基がエステル化された完全エステルであるが、本発明の効果に影響を与えない範囲で、一部の水酸基がエステル化されずに残った部分エステルを含んでいてもよい。
【００２８】
前記ヒンダードポリオールとしては、下記一般式（ａ２−１）で表される化合物であることが好ましい。
【化１】
2019189834.tif 000002
【００２９】
前記一般式（ａ２−１）中、Ｒ１及びＲ２は、それぞれ独立に、炭素数１〜６の一価の炭化水素基、又はメチロール基（−ＣＨ２ＯＨ）である。
ｎは、０〜４の整数を示し、好ましくは０〜２、より好ましくは０〜１、更に好ましくは０である。なお、ｎ＝０の場合は単結合となり、下記一般式（ａ２−１’）で表される化合物となる。
【００３０】
【化２】
2019189834.tif 000003
〔前記一般式（ａ２−１’）中、Ｒ１及びＲ２は、それぞれ独立に、炭素数１〜６の一価の炭化水素基、又はメチロール基（−ＣＨ２ＯＨ）である。〕
【００３１】
Ｒ１及びＲ２として選択し得る、炭素数１〜６の一価の炭化水素基としては、例えば、炭素数１〜６のアルキル基（メチル基、エチル基、プロピル基、ブチル基、ペンチル基、ヘキシル基）、シクロペンチル基、シクロヘキシル基、フェニル基等が挙げられる。
なお、上記アルキル基は、直鎖アルキル基であってもよく、分岐鎖アルキル基であってもよい。
これらの中でも、Ｒ１及びＲ２として選択し得る、炭素数１〜６の一価の炭化水素基としては、炭素数１〜６のアルキル基が好ましく、炭素数１〜３のアルキル基がより好ましい。
【００３２】
前記一般式（ａ２−１）で表される化合物としては、例えば、ジアルキルプロパンジオール（アルキル基の炭素数は１〜６である）、トリメチロールアルカン（アルカンの炭素数は２〜７である）、ペンタエリスリトール等のヒンダードポリオール及びこれらの脱水縮合物が挙げられ、より具体的には、ネオペンチルグリコール、２−エチル−２−メチル−１，３−プロパンジオール、２，２−ジエチル−１，３−プロパンジール、トリメチロールエタン、トリメチロールプロパン、トリメチロールブタン、トリメチロールペンタン、トリメチロールヘキサン、トリメチロールヘプタン、ペンタエリスリトール、２，２，６，６−テトラメチル−４−オキサ−１，７−ヘプタンジオール、２，２，６，６，１０，１０−ヘキサメチル−４，８−ジオキサ−１，１１−ウンデカジオール、２，２，６，６，１０，１０，１４，１４−オクタメチル−４，８，１２−トリオキサ−１，１５−ペンタデカジオール、２，６−ジ（ヒドロキシメチル）−２，６−ジメチル−４−オキサ−１，７−ヘプタンジオール、２，６，１０−トリ（ヒドロキシメチル）−２，６，１０−トリメチル−４，８−ジオキサ−１，１１−ウンデカジオール、２，６，１０，１４−テトラ（ヒドロキシメチル）−２，６，１０，１４−テトラメチル−４，８，１２−トリオキサ−１，１５−ペンタデカジオール、ジペンタエリスリトール、トリペンタエリスリトール、テトラペンタエリスリトール等が挙げられる。
【００３３】
前記脂肪族モノカルボン酸としては、炭素数５〜２２の飽和脂肪族モノカルボン酸が挙げられる。
当該飽和脂肪族モノカルボン酸のアシル基は、直鎖状、分岐状のいずれであってもよい。
飽和脂肪族モノカルボン酸としては、例えば、吉草酸、カプロン酸、エナント酸、カプリル酸、ペラルゴン酸、カプリン酸、ウンデカン酸、ラウリン酸、トリデカン酸、ミリスチン酸、ペンタデカン酸、パルミチン酸、ヘプタデカン酸、ステアリン酸、ノナデカン酸、アラキン酸、ベヘン酸等の直鎖状飽和モノカルボン酸；イソミリスチン酸、イソパルミチン酸、イソステアリン酸、２，２−ジメチルプロパン酸、２，２−ジメチルブタン酸、２，２−ジメチルペンタン酸、２，２−ジメチルオクタン酸、２−エチル−２，３，３−トリメチルブタン酸、２，２，３，４−テトラメチルペンタン酸、２，５，５−トリメチル−２−ｔ−ブチルヘキサン酸、２，３，３−トリメチル−２−エチルブタン酸、２，３−ジメチル−２−イソプロピルブタン酸、２−エチルヘキサン酸、３，５，５−トリメチルヘキサン酸等の分岐状飽和モノカルボン酸等が挙げられる。
これらの脂肪族モノカルボン酸は、エステル化の際、一種を単独で用いてもよく、二種以上を混合して用いてもよい。
飽和脂肪族モノカルボン酸の炭素数としては、好ましくは５〜１８、より好ましくは５〜１４、更に好ましくは５〜１２である。
【００３４】
なお、本発明の一態様の潤滑油組成物において、高温環境下で長時間使用しても、優れた流動性を維持し得る潤滑油組成物とする観点から、において、ポリオールエステル（Ａ２１）としては、ジペンタエリスリトールと、炭素数５〜１２の飽和脂肪族モノカルボン酸とのエステルであることが好ましい。
成分（Ａ２）中の上記エステルの含有量としては、成分（Ａ２）の全量（１００質量％）基準で、好ましくは６０〜１００質量％、より好ましくは７０〜１００質量％、更に好ましくは８０〜１００質量％、より更に好ましくは９０〜１００質量％である。
【００３５】
さらに、上記観点から、本発明の一態様において、ジペンタエリスリトールと、炭素数９〜１２の飽和脂肪族モノカルボン酸とのエステルを、成分（Ａ２）の全量（１００質量％）基準で、５０質量％以上（好ましくは６０質量％以上、より好ましくは７０質量％以上）含有していることが好ましい。
【００３６】
エステル系化合物（Ａ２）の数平均分子量としては、好ましくは７００〜１５００、より好ましくは８００〜１３００、更に好ましくは９００〜１２００である。
【００３７】
エステル系化合物（Ａ２）の４０℃における動粘度としては、好ましくは１５０〜４５０ｍｍ２／ｓ、より好ましくは１７５〜４００ｍｍ２／ｓ、更に好ましくは２００〜３６０ｍｍ２／ｓである。
また、エステル系化合物（Ａ２）の粘度指数としては、好ましくは８５以上、より好ましくは９０以上、更に好ましくは９２以上である。
【００３８】
［成分（Ａ１）及び（Ａ２）以外の基油］
本発明の一態様の潤滑油組成物は、本発明の効果を損なわない範囲で、基油（Ａ１）として、成分（Ａ１）及び（Ａ２）には該当しない他の基油を含有してもよい。
他の基油としては、鉱油であってもよく、成分（Ａ１）及び（Ａ２）以外の合成油であってもよい。
【００３９】
当該鉱油としては、例えば、パラフィン系原油、中間基系原油、ナフテン系原油等の原油を常圧蒸留して得られる常圧残油；これらの常圧残油を減圧蒸留して得られる留出油；当該留出油を、溶剤脱れき、溶剤抽出、水素化分解、溶剤脱ろう、接触脱ろう、水素化精製等の精製処理を一つ以上施して得られる鉱油等が挙げられる。
【００４０】
また、当該他の合成油としては、例えば、α−オレフィン単独重合体、又はα−オレフィン共重合体（例えば、エチレン−α−オレフィン共重合体等の炭素数８〜１４のα−オレフィン共重合体）等のポリα−オレフィン；イソパラフィン；ポリアルキレングリコール、ポリフェニルエーテル等の各種エーテル；アルキルベンゼン；；天然ガスからフィッシャー・トロプシュ法等により製造されるワックス（ＧＴＬワックス（Ｇａｓ  ｔｏ  Ｌｉｑｕｉｄｓ  ＷＡＸ））を異性化することで得られる合成油（ＧＴＬ）等が挙げられる。
【００４１】
＜酸化防止剤（Ｂ）＞
本発明の一態様の潤滑油組成物は、高温環境下での長時間の使用に対しても、蒸発損失を低減すると共に、流動性を良好とし、さらにスラッジの析出を抑制する観点から、さらに酸化防止剤（Ｂ）を含有することが好ましい。
酸化防止剤（Ｂ）としては、例えば、アミン系酸化防止剤、フェノール系酸化防止剤、モリブデン系酸化防止剤、硫黄系酸化防止剤、リン系酸化防止剤等が挙げられる。
これらの中でも、酸化防止剤（Ｂ）としては、アミン系酸化防止剤及びフェノール系酸化防止剤から選ばれる１種以上が好ましい。
なお、酸化防止剤（Ｂ）は、単独で用いてもよく、２種以上を併用してもよい。
【００４２】
アミン系酸化防止剤としては、酸化防止性能を有するアミン系化合物であればよいが、ナフチルアミンやアルキル化ジフェニルアミン等が挙げられる。
ナフチルアミンとしては、例えば、フェニル−α−ナフチルアミン、フェニル−β−ナフチルアミン、アルキルフェニル−α−ナフチルアミン、アルキルフェニル−β−ナフチルアミン等が挙げられる。
アルキルフェニル−α−ナフチルアミン及びアルキルフェニル−β−ナフチルアミンが有するアルキル基の炭素数としては、好ましくは１〜３０、より好ましくは１〜２０、更に好ましくは４〜１６、より更に好ましくは６〜１４である。
【００４３】
アルキル化ジフェニルアミンとしては、下記一般式（ｂ−１）で表される化合物であることが好ましく、下記一般式（ｂ−２）で表される化合物であることがより好ましい。
【００４４】
【化３】
2019189834.tif 000004
【００４５】
前記一般式（ｂ−１）、（ｂ−２）中、Ｒｘ及びＲｙは、それぞれ独立に、炭素数１〜３０のアルキル基、環形成原子数６〜１８のアリール基で置換された炭素数１〜３０のアルキル基である。
当該アルキル基は、直鎖アルキル基であってもよく、分岐鎖アルキル基であってもよい。
前記一般式（ｂ−１）中、ｚ１及びｚ２は、それぞれ独立に、０〜５の整数であり、好ましくは０又は１、より好ましくは１である。なお、Ｒｘ及びＲｙが複数存在する場合、複数のＲｘ及びＲｙは、同一であってもよく、互いに異なっていてもよい。
【００４６】
なお、Ｒｘ及びＲｙとして選択し得る、当該アルキル基の炭素数としては、１〜３０であるが、好ましくは１〜２０、より好ましくは１〜１０である。
当該アルキル基に置換し得るアリール基としては、フェニル基、ナフチル基、ビフェニル基等が挙げられるが、フェニル基が好ましい。
アルキルフェニル−ナフチルアミンが有するアルキル基、及び、ジフェニルアミンが有し得るアルキル基としては、例えば、メチル基、エチル基、プロピル基、ブチル基、ペンチル基、ヘキシル基、ヘプチル基、オクチル基、ノニル基、デシル基、ウンデシル基、ドデシル基、ヘキサデシル基、オクタデシル基、ノナデシル基、イコシル基、テトラコシル基等が挙げられる。
【００４７】
フェノール系酸化防止剤としては、例えば、２，６−ジ−ｔ−ブチル−４−メチルフェノール、２，６−ジ−ｔ−ブチル−４−エチルフェノール、２，４，６−トリ−ｔ−ブチルフェノール、２，６−ジ−ｔ−ブチル−４−ヒドロキシメチルフェノール、２，６−ジ−ｔ−ブチルフェノール、２，４−ジメチル−６−ｔ−ブチルフェノール、２，６−ジ−ｔ−ブチル−４−（Ｎ，Ｎ−ジメチルアミノメチル）フェノール、２，６−ジ−ｔ−アミル−４−メチルフェノール、ｎ−オクタデシル−３−（３，５−ジ−ｔ−ブチル−４−ヒドロキシフェニル）プロピオネート等の単環フェノール系化合物や、４，４’−メチレンビス（２，６−ジ−ｔ−ブチルフェノール）、４，４’−イソプロピリデンビス（２，６−ジ−ｔ−ブチルフェノール）、２，２’−メチレンビス（４−メチル−６−ｔ−ブチルフェノール）、４，４’−ビス（２，６−ジ−ｔ−ブチルフェノール）、４，４’−ビス（２−メチル−６−ｔ−ブチルフェノール）、２，２’−メチレンビス（４−エチル−６−ｔ−ブチルフェノール）、４，４’−ブチリデンビス（３−メチル−６−ｔ−ブチルフェノール）等の多環フェノール系化合物が挙げられる。
【００４８】
本発明の一態様の潤滑油組成物は、高温環境下での長時間の使用に対しても、蒸発損失を低減すると共に、流動性を良好とし、さらにスラッジの析出を抑制する観点から、酸化防止剤（Ｂ）は、アルキル化ジフェニルアミンを含むことが好ましい。
【００４９】
本発明の一態様の潤滑油組成物において、成分（Ｂ）の含有量は、上記観点から、当該潤滑油組成物の全量（１００質量％）基準で、好ましくは０．０１〜１０質量％、より好ましくは０．０５〜７質量％、更に好ましくは０．１〜５質量％、より更に好ましくは０．１５〜１．９質量％である。
【００５０】
＜極圧剤（Ｃ）＞
本発明の一態様の潤滑油組成物は、薄膜化しても良好な潤滑性を発現させる観点から、さらに極圧剤（Ｃ）を含有することが好ましい。
極圧剤（Ｃ）としては、例えば、ジチオカルバミン酸モリブデン、ジチオリン酸モリブデン、ジスルフィド類、硫化オレフィン類、硫化油脂類、硫化エステル類、チオカーボネート類、チオカーバメート類、ポリサルファイド類等の硫黄系極圧剤；亜リン酸エステル類、リン酸エステル類、ホスホン酸エステル類、及びこれらのアミン塩又は金属塩等のリン系極圧剤；チオ亜リン酸エステル類、チオリン酸エステル類、チオホスホン酸エステル類、及びこれらのアミン塩又は金属塩等の硫黄・リン系極圧剤；等が挙げられる。
これらの極圧剤（Ｃ）は、単独で用いてもよく、２種以上を併用してもよい。
【００５１】
本発明の一態様の潤滑油組成物において、薄膜化しても良好な潤滑性を発現させる観点から、極圧剤（Ｃ）としては、リン系極圧剤が好ましく、中性リン酸エステル、酸性リン酸エステル、及び酸性リン酸エステルのアミン塩から選ばれる１種以上であることがより好ましい。
【００５２】
本発明の一態様の潤滑油組成物において、成分（Ｃ）の含有量としては、当該潤滑油組成物の全量（１００質量％）基準で、好ましくは０．０１〜５．０質量％、より好ましくは０．０２〜２．０質量％、更に好ましくは０．０５〜１．０質量％、より更に好ましくは０．１０〜０．８０質量％である。
【００５３】
＜他の潤滑油用添加剤＞
本発明の一態様の潤滑油組成物は、本発明の効果を損なわない範囲で、上述の成分（Ｂ）及び（Ｃ）以外の他の潤滑油用添加剤を含有してもよい。
このような潤滑油用添加剤としては、例えば、防錆剤、金属系清浄剤、無灰系分散剤、粘度指数向上剤、消泡剤、摩擦調整剤、耐摩耗剤、金属不活性化剤等が挙げられる。
これらの潤滑油用添加剤は、単独で用いてもよく、２種以上を併用してもよい。
【００５４】
これらの潤滑油用添加剤を配合する場合、潤滑油用添加剤のそれぞれの含有量は、本発明の効果を損なわない範囲内で、添加剤の種類に応じて適宜調整されるが、潤滑油組成物の全量（１００質量％）基準で、通常０．００１〜１０質量％、好ましくは０．００５〜５質量％、より好ましくは０．０１〜２質量％である。
【００５５】
〔潤滑油組成物の各種物性〕
本発明の一態様の潤滑油組成物の４０℃における動粘度は、好ましくは１３０〜２２０ｍｍ２／ｓ、より好ましくは１５０〜２１０ｍｍ２／ｓ、更に好ましくは１６０〜２００ｍｍ２／ｓである。
【００５６】
本発明の一態様の潤滑油組成物の粘度指数は、好ましくは９０以上、より好ましくは１００以上、更に好ましくは１０５以上である。
【００５７】
〔潤滑油組成物の用途、テンター装置〕
本発明の潤滑油組成物は、高温環境下で長期間の使用に対しても、蒸発損失が小さく、蒸発量が抑制されつつも、良好な流動性を維持し、残油の固着が生じ難いという特性を有する。
そのため、本発明の潤滑油組成物は、テンター装置が備えるチェーンの潤滑に用いられることが好ましい。
【００５８】
また、本願は下記〔１〕のテンター装置も提供し得る。
〔１〕アルキルナフタレン（Ａ１）及びエステル系化合物（Ａ２）を含む基油（Ａ）を含有し、成分（Ａ１）と成分（Ａ２）の含有量比〔（Ａ１）／（Ａ２）〕が、質量比で、１５／８５〜８５／１５である潤滑油組成物を、チェーンの潤滑に用いた、テンター装置。
【００５９】
上記テンター装置で用いている潤滑油組成物は、本発明の潤滑油組成物であり、その詳細は上述のとおりである。
上記〔１〕に記載のテンター装置は、本発明の潤滑油組成物を用いているため、高温環境下で長期間の使用に対しても、優れた潤滑性が維持され、貧潤滑の発生が効果的に抑制されたものとなり得る。
【実施例】
【００６０】
次に、実施例により本発明をさらに具体的に説明するが、本発明はこれら実施例に限定されるものではない。なお、各種物性の測定法又は評価法は、下記のとおりである。
（１）動粘度及び粘度指数
ＪＩＳ  Ｋ２２８３：２０００に準拠して測定及び算出した。
（２）数平均分子量
ゲル浸透クロマトグラフ装置（アジレント社製、「１２６０型ＨＰＬＣ」）を用いて、下記の条件下で測定し、標準ポリスチレン換算にて測定した値を用いた。
（測定条件）
・カラム：「Ｓｈｏｄｅｘ  ＬＦ４０４」を２本、順次連結したもの。
・カラム温度：３５℃
・展開溶媒：クロロホルム
・流速：０．３ｍＬ／ｍｉｎ【００６１】
実施例１〜７、比較例１〜４
下記に示すアルキルナフタレン「ＡＮ（１）」とエステル系化合物「ＰＯＥ（１）」との表１に示す含有量比（質量比）で混合した混合基油に対して、添加剤として、下記に示す酸化防止剤及び極圧剤を、表１に示す配合量にて添加し、十分に混合して、潤滑油組成物をそれぞれ調製した。
これらの潤滑油組成物の調製に使用した各成分の詳細は、以下のとおりである。【００６２】
（アルキルナフタレン）
・「ＡＮ（１）」：炭素数１４のアルキル基を１〜５個有するアルキルナフタレンの混合物（炭素数１４のアルキル基を３〜４個有するアルキルナフタレンが主成分）、数平均分子量＝３００〜１２００、４０℃動粘度＝１７７ｍｍ２／ｓ、粘度指数＝１１８。
（エステル系化合物）
・「ＰＯＥ（１）」：ジペンタエリスリトールと、３，５，５−トリメチルヘキサン酸（炭素数９）／ｎ−ヘプタン酸（炭素数７）／ｎ−ペンタン酸（Ｃ５）＝７２．６／２１．０／６．４（質量比）からなるカルボン酸混合物とからなる、ジペンタエリスリトールエステル。数平均分子量＝１０３９、４０℃動粘度＝２２０ｍｍ２／ｓ、粘度指数＝９５。
（添加剤）
・「酸化防止剤」：ブチルフェニルオクチルフェニルアミン。
・「極圧剤」：ジ（２−エチルヘキシル）アシッドホスフェートと、ラウリルアミン（Ｃ１２）とのアミン塩。【００６３】
調製した潤滑油組成物の各々について、４０℃動粘度を測定すると共に、以下の試験を行った。これらの結果を表１に示す。【００６４】
（１）残油率の測定
ＪＩＳ  Ｋ２５４０で規定の潤滑油熱安定度試験で使用される容器及び恒温空気浴を用い、当該容器に試料油１ｇを入れ、空気を流量１０Ｌ／ｈｒで恒温空気浴に流し込みながら、２３０℃で２０時間加熱し、加熱後の試料油の残渣量を測定した。そして、下記式から残油率を算出した。
・残油率［％］＝加熱後の試料油の残渣量［ｇ］／加熱前の試料油の質量（＝１ｇ）×１００
残油率が７０％以上である場合に蒸発量が抑制された潤滑油組成物と判断し、合格と判断した。【００６５】
（２）残油の流動性
上記（１）の残油率を算出するために用いた加熱後の試料油である残油の入った容器を、水平方向に対して４５度傾けて、残油（薄膜残渣）の流動性を以下の基準で評価した。
・Ａ：残油が固着しておらず、１５分以内に容器から残油が流れ落ちる。
・Ｂ：残油が一部固着しており、１５分後に容器から残油が流れ落ちるものが一部ある。
・Ｃ：残油が固着しており、１５分経過しても容器から内容物が流れ落ちない。【００６６】
【表１】
2019189834.tif 000005
【００６７】
表１から、実施例１〜７で調製した潤滑油組成物は、残油率が高く、蒸発量が抑制されていると共に、残油の流動性も良好である結果となった。そのため、長時間にわたり優れた流動性を保持し得るため薄膜の形成が可能である潤滑油組成物といえる。
一方、比較例１及び２で調製した潤滑油組成物は、残油率が低く、蒸発損失が大きい結果となった。また、比較例３及び４で調製した潤滑油組成物は、残油率は高いが、残油の流動性が劣る結果となったため、長時間の使用に伴い薄膜の形成が難しくなるものと考えられる。
【国際調査報告】
2019189834.tif 000006
2019189834.tif 000007
2019189834.tif 000008
2019189834.tif 000009